(57)【要約】【課題】本発明は、住居内で人体の血圧、尿測定などを行って健康を管理する健康管理システムおよび健康管理プログラムに関し、家庭などで利用者の検尿、血圧、体温、身長・体重などの測定データと標準値テーブルとを比較して簡易診断結果を提示、更に、必要に応じ全測定データを医療機関に送信して診断結果の返送を受けて利用者に提示し、利用者の測定データに対応した診断を迅速かつタイムリーに提供して健康管理に役立てることを目的とする。【解決手段】住居内で血圧測定器、尿測定器、体重・身長測定器、体温測定器などからのデータを収集する手段と、収集したデータと標準値あるいは以前の値とを比較して異常と判明したときに対応した警告メッセージを、テーブルから検索して取り出して表示あるいは音声で発声する手段とを備える。【選択図】　図１
2004129980.tif 000002
【特許請求の範囲】
【請求項１】
住居内で人体の血圧、尿測定などを行って健康を管理する健康管理システムにおいて、
住居内で血圧測定器、尿測定器、体重・身長測定器、体温測定器などからのデータを収集する手段と、
前記収集したデータと標準値あるいは以前の値とを比較して異常と判明したときに対応した警告メッセージを、テーブルから検索して取り出して表示あるいは音声で発声する手段と
を備えたことを特徴とする健康管理システム。
【請求項２】
定期的あるいは必要に応じて前記蓄積したデータをネットワークを介して医療機関に送付する手段と、
前記データを医療機関に送付したことに対応して、その診断結果を受信する手段と、
前記受信した診断結果を表示あるいは音声で発声する手段と
を備えたことを特徴とする請求項１記載の健康管理システム。
【請求項３】
住居内で人体の血圧、尿測定などを行って健康を管理する健康管理プログラムにおいて、
住居内で血圧測定器、尿測定器、体重・身長測定器、体温測定器などからのデータを収集する手段と、
前記収集したデータと標準値あるいは以前の値とを比較して異常と判明したときに対応した警告メッセージを、テーブルから検索して取り出して表示あるいは音声で発声する手段と
してコンピュータに機能させるための健康管理プログラム。
【発明の詳細な説明】
【０００１】
【発明の属する技術分野】
本発明は、住居内で人体の血圧、尿測定などを行って健康を管理する健康管理システムおよび健康管理プログラムに関するものである。
【０００２】
【従来の技術】
従来、家庭（住居）では体温計、尿測定器などを使ってそれぞれ別個に測定し、測定した値を製造元から提供された表などを参照し、健康か、注意が必要かなどを各人がそれぞれ判断していた。
【０００３】
また、体温計などから収集したデータを他の室内空間、病院などに送信するようにしていた（特許文献１）。
【０００４】
【特許文献１】
特開平１１−４７１０１号公報の図１とその説明参照。
【０００５】
【発明が解決しようとする課題】
しかし、体温計、尿測定器などで測定した測定データを家庭内で総合的に簡易に判定して警告メッセージを表示したり、更に、測定データを医療機関に簡易に送付してその総合的な診断結果を受け取ることができないという問題があった。
【０００６】
また、特に、パソコンなどに不慣れな人にとっては測定した体温、尿測定結果などをデータ入力してデータ管理したり、医療機関に送付して診断を仰いだりの操作が大変であるという問題もあった。
【０００７】
本発明は、これらの問題を解決するため、家庭などで利用者の検尿、血圧、体温、身長・体重などの測定データと標準値テーブルとを比較して簡易診断結果を提示、更に、必要に応じて測定データを医療機関に送信して診断結果の返送を受けて利用者に提示し、利用者の測定データに対応した診断を迅速かつタイムリーに提供して健康管理に役立てることを目的としている。
【０００８】
【課題を解決するための手段】
図１において、パソコン１は、プログラムに従い各種処理を実行するものであって、ここでは、データ収集手段２、簡易解析手段３、診断依頼手段４、および基準値テーブル６などから構成されるものである。
【０００９】
データ収集手段２は、検尿装置１１などからデータを収集するものである。
簡易解析手段３は、収集したデータと基準値テーブル６に格納されている基準値とを比較し、診断結果を生成するものである。
【００１０】
診断依頼手段４は、収集したデータをサーバ１６に送信して診断を依頼し、その診断結果を取得するものである。
【００１１】
基準値テーブル６は、検尿結果などの基準値あるいは以前の値を保存するものである。
【００１２】
次に、動作を説明する。
パソコン１を構成するデータ収集手段２が住居内で検尿装置１１から検尿結果などのデータを収集し、簡易解析手段３が収集したデータと基準値テーブル６に格納されている値とを比較し、異常のときに該当警告メッセージを取り出して表示したり、音声で発声したりするようにしている。
【００１３】
この際、診断依頼手段４が収集したデータを定期的あるいは必要に応じてネットワークを介してサーバ１６に送信して診断依頼し、その診断結果を受信して表示したり、音声で発声したりするようにしている。
【００１４】
従って、家庭などで利用者の検尿、血圧、体温、身長・体重などの測定データと標準値テーブル６とを比較して簡易診断結果を提示、更に、必要に応じて測定データを医療機関に送信して診断結果の返送を受けて利用者に提示することにより、利用者の測定データに対応した診断を迅速かつタイムリーに提供して健康管理に役立てることが可能となる。
【００１５】
【発明の実施の形態】
次に、図１から図６を用いて本発明の実施の形態および動作を順次詳細に説明する。
【００１６】
図１は、本発明のシステム構成図を示す。
図１において、パソコン１は、プログラムに従い各種処理を実行するものであって、ここでは、データ収集手段２、簡易解析手段３、診断依頼手段４、データテーブル５、および基準値テーブル６などから構成されるものである。
【００１７】
データ収集手段２は、検尿装置１１、身長・体重測定器１２、血圧測定器１３、検温装置１４などからの測定されたデータ（図３の（ａ）参照）を無線ＬＡＮ，ＵＳＢなどにより収集し、データテーブル５に蓄積したりなどするものである。
【００１８】
簡易解析手段３は、収集したデータ（データテーブル５）と基準値テーブル６に格納されている基準値とを比較し、簡易診断結果を生成したりなどするものである。
【００１９】
診断依頼手段４は、収集したデータ（データテーブル５）をサーバ１６に送信して診断を依頼し、その診断結果を取得したりなどするものである。
【００２０】
データテーブル５は、収集したデータを蓄積したものである（図３の（ａ）参照）。
【００２１】
基準値テーブル６は、データの基準値あるいは以前の値を保存するものである（図３の（ｂ）参照）。
【００２２】
検尿装置１１は、人が排泄した尿から蛋白、潜血、糖などの値を検出するものであって、センサ１１１、パネルボタン１１２、トイレ１１３などから構成されるものである。
【００２３】
センサ１１１は、人が排泄した尿を取り込んで蛋白、潜血、糖などの値を検出するセンサである。検出された蛋白、潜血、糖などの値は、ここでは、図示外の無線ＬＡＮでパソコン１に送信してデータテーブル５中の検尿結果として蓄積する（図３の（ａ）参照）。
【００２４】
パネルボタン１１２は、検出の開始を指示したりなどするものである。
トイレ１１３は、人が尿を排泄する容器であって、ここでは、センサ１１１などを設置するものである。
【００２５】
身長・体重測定器１２は、人の身長と、体重を測定するものであって、ここでは、身長測定器１２１、体重計１２２などから構成されるものである。
【００２６】
身長測定器１２１は、体重計１２２の上に乗ってバーを頭部の上方に接するように上下に移動させ、そのときの身長を読み取って測定するものである。
【００２７】
体重計１２２は、人が乗ったときに自動的に体重を測定するものである。これら測定した身長および体重のデータは、ここでは、ＵＳＢでパソコン１に送信してデータテーブル５に身長、体重として蓄積する。
【００２８】
血圧測定器１３は、人体の腕に器具を巻いて除々に圧力を加えて血流が止まるときの圧力および血流が止まった状態から流れ出すときの圧力を測定して血圧（最高血圧、最低血圧）を測定するものであって、ここでは、血圧測定部１３１、および測定器１３２などから構成されるものである。
【００２９】
血圧測定部１３１は、人体の腕に巻きつけて圧力を徐々に加えるものである。測定器１３２は、血圧測定部１３１に加えた圧力をもとに血圧（最高血圧、最低血圧）を測定するものである。これら測定した血圧は、ここでは、ＵＳＢでパソコン１に送信し、データテーブル５に蓄積する。
【００３０】
検温装置１４は、人体の体温を測定するものであって、例えば人が脇の下などに挟んでそのときの温度を測定するものである。測定した体温は、ここでは、ＵＳＢでパソコン１に送信し、データテーブル５に蓄積する。
【００３１】
結果表示パネル１５は、住居の冷蔵庫、ベッドなどに設置した表示パネルであって、ここでは、測定結果、測定結果を標準値と比較して異常のときに警告メッセージ、更に、測定データを医療機関に送信して得た診断結果を表示したりなどするものである。
【００３２】
サーバ（医療機関）１６は、ネットワークを介して多数のパソコン１と接続し、契約して利用者の測定データの送信を受けて医師が診断した結果を返送したりなどするものであって、ここでは、診断支援手段１７、データテーブル１８などから構成されるものである。
【００３３】
診断支援手段１７は、パソコン１から利用者の全測定データの送信を受けてデータテーブル１８に保存したり、医師が全測定データを表示させて当該利用者の現状の健康状態を診断したりなどするものである。
【００３４】
次に、図２のフローチャートの順番に従い図１の構成の動作を詳細に説明する。
【００３５】
図２は、本発明の動作説明フローチャートを示す。ここで、検尿装置１１は図１の検尿装置１１を表し、血圧／検温／身長体重測定器は図１の血圧測定器１３、検温装置１４、身長・体重測定器１２を表し、パソコン（アプリ）１は図１のデータ収集手段２、簡易解析手段３を表す。
【００３６】
図２において、Ｓ１は、検尿ボタンを押下する。これは、利用者が図１の検尿装置１１（例えば便器に取り付けた検尿装置）で尿を所定の容器に充満した後、検尿開始ボタンを押下する。
【００３７】
Ｓ２は、検尿する。これは、Ｓ１で検尿開始ボタンが押下されたことに対応して、所定の容器に溜まった尿の蛋白、潜血、糖などの値を測定する。
【００３８】
Ｓ３は、送信ボタンを押下する。これは、利用者が測定したデータ（蛋白、潜血、糖などの測定データ）をパソコン１に送信指示する送信ボタンを押下する。
【００３９】
以上のＳ１からＳ３により、利用者が検尿装置１１で測定したデータ（蛋白、潜血、糖などの測定データ）をパソコン１に送信し、データテーブル５に蓄積することが可能となる。
【００４０】
Ｓ４は、同様に、血圧／検温／身長体重の測定開始ボタンを押下する。これにより、図１の血圧測定器１３、検温装置１４、身長・体重測定器１２でそれぞれ測定開始指示される。
【００４１】
Ｓ５は、測定（最高、最低）する。
Ｓ６は、送信ボタンを押下する。
【００４２】
以上のＳ４からＳ６により、利用者が血圧測定器１３、検温装置１４、身長・体重測定器１２でそれぞれ測定したデータ（血圧（最低、最高）、体温、身長、体重などの測定データ）をパソコン１に送信し、データテーブル５に蓄積することが可能となる。
【００４３】
Ｓ７は、データを解析する。これは、Ｓ１からＳ６で収集したデータと、標準値テーブル６に登録されている標準値あるいは以前の値とを比較し、異常のときに該当警告メッセージ（簡易診断メッセージ）を取り出したりなどする。
【００４４】
Ｓ８は、簡易診断結果を送信する。
Ｓ９は、結果を表示する。これらＳ８、Ｓ９は、Ｓ７で取り出した簡易診断結果（警告メッセージ）を送信して、例えば図１の結果表示パネル１５に表示し、利用者に当該簡易診断結果である、警告メッセージなどを表示する。
【００４５】
以上によって、利用者が検尿装置１４で検尿を行ってその測定データをパソコン１に送信、更に、血圧（最低、最高）、体温、身長・体重の測定データをパソコン１に送信し、これらの測定データを受信したパソコン１はデータテーブル５に蓄積すると共に標準値テーブル６に登録されている標準値あるいは以前の値とを比較し、異常のときに該当警告メッセージを取り出して結果表示パネル（例えば冷蔵庫、ベッドに設置してある結果表示パネル）１５に表示し、利用者に簡易診断結果を表示して知らせると共に、健康が悪いとき（例えば蛋白が基準値あるいは以前の値より所定範囲外のとき）に、”疲れているので睡眠を取ってください”という警告メッセージ（簡易診断結果）を表示することが可能となる。
【００４６】
図３は、本発明の説明図を示す。
図３の（ａ）は、データテーブル例を示す。図示のデータテーブル５は、図１のパソコン１が検尿装置１１、身長・体重測定器１２、血圧測定器１３、および検温装置１４で測定した利用者のデータを蓄積したものであって（図中で、身長、体重、体温は省略してある）、利用者ＩＤ（更に、測定日付）毎に、図示の下記の情報など蓄積したものである。
【００４７】
2004129980.tif 000003
図３の（ｂ）は、基準値テーブル例を示す。図示の基準値テーブル６は、利用者毎に検尿（蛋白、潜血、糖）、血圧（最低、最高）、身長、体重などの基準値（全利用者に同一の基準値、あるいは以前の健康時の値）を予め登録したものである。
【００４８】
以上のように、利用者に対応づけて基準値を登録しておくことにより、当該基準値を超えた、以下あるいは基準値の範囲外の場合（異常の場合）に、今日の利用者ＩＤ▲１▼の人が異常であると簡易診断して当該簡易診断に対応する警告メッセージを後述する図３の（ｃ）から取り出して表示することが可能となる。
【００４９】
図３の（ｃ）は、結果表示テーブル例を示す。これは、図３の（ａ）のデータテーブル５に格納した測定データと、図３の（ｂ）の基準値テーブル６に登録されている該当利用者の基準値とを比較し、所定範囲外などで異常と簡易診断されたときに取り出す警告メッセージを予め登録した例を示す。これは、検尿のデータが図３の（ｂ）の基準値テーブル６の当該利用者の基準値と比較して例えば
・蛋白が大の場合には、”疲れているので睡眠を取って下さい。”
という警告メッセージを簡易診断結果として取り出し、図１の結果表示パネル１５に表示して利用者に現在の健康状況の簡易診断結果を表示して認識させるためのものである。
【００５０】
図４は、本発明の動作説明フローチャート（簡易診断）を示す。
図４において、Ｓ１１は、メッセージランプがＯＮか判別する。これは、図１の結果表示パネル１５のメッセージランプがＯＮで、利用者に表示する簡易診断結果（既述した図３の（ｃ）の警告メッセージ）があるか判別する。ＹＥＳの場合には、利用者が結果表示パネル１５でＩＤ（利用者ＩＤ）を入力し、Ｓ１３に進む。一方、ＮＯの場合には、表示すべきき簡易診断結果がないので終了する。
【００５１】
Ｓ１３は、メッセージが有か判別する。これは、Ｓ１２で入力された利用者ＩＤの簡易診断結果（警告メッセージ）が有るか判別する。ＹＥＳの場合には、Ｓ１４に進む。ＮＯの場合には終了する。
【００５２】
Ｓ１４は、Ｓ１３のＹＥＳで当該利用者ＩＤの簡易診断結果がありと判明したので、簡易診断結果を表示する。例えば右側に記載したように、当該利用者ＩＤの検尿の結果、蛋白が基準値よりも多いと簡易診断結果が出たので、当該蛋白が多いことに対応する警告メッセージ（簡易診断結果）として
”糖が多いので、お酒やビールを控えてください。”
というメッセージを取り出して表示する。
【００５３】
Ｓ１５は、確認ボタンが押下か判別する。ＹＥＳの場合には、利用者がＳ１４で表示された警告メッセージを認識して確認できたと判明したので、Ｓ１６でリセット（当該簡易診断結果についてフラグをＯＦＦにして表示・確認済み）と設定し、終了する。ＮＯの場合には、フラグをＯＦＦにすることなく終了する。
【００５４】
以上によって、図１のパソコン１が利用者の検尿、身長・体重、血圧、体温などの測定データについて基準値と比較して範囲外などの異常のときに該当警告メッセージを保持してメッセージランプをＯＮにすることで、利用者が当該メッセージランプがＯＮのときに利用者ＩＤを入力すると自分宛の警告メッセージ（簡易診断結果）があるときはその警告メッセージを表示し、確認して確認ボタンを押下すると当該警告メッセージのフラグが確認済みとすることにより、簡易診断結果を確実に利用者に提示して健康管理に役立たせることが可能となる。
【００５５】
図５は、本発明の動作説明フローチャート（診断）を示す。
図５において、Ｓ２１は、診断ボタンを押下か判別する。これは、利用者が定期的に一ヶ月に１回、あるいは随時、診断ボタンを押下する。ＹＥ全てのデータを電子メールの添付ファイルにし、ネットワークを介してサーバ（医療機関Ｓの場合には、Ｓ２２でデータテーブル５に蓄積した当該利用者ＩＤの）１６に送付する。
【００５６】
Ｓ２３は、サーバ（医療機関）１６がデータを受信する。該当メールボックスから当該医療機関宛の電子メールを受信する。
【００５７】
Ｓ２４は、診断する。これは、Ｓ２３で受信した電子メールの添付ファイルから利用者の全測定データ（検尿結果（蛋白、潜血、糖）、血圧（最低、最高）、体温、身長、体重など）を表示し、医師が当該利用者（患者）の健康状態を診断する。
【００５８】
Ｓ２５は、診断結果を送信する。これは、診断結果を電子メールの添付ファイルにしてパソコン１の利用者のメールボックスに送信する。
【００５９】
Ｓ２６は、Ｓ２５で送信された電子メールをメールボックスに保存する。
Ｓ２７は、メールボックスから取り出した電子メールに添付されている診断結果を、図１の結果表示パネル１５の上に表示、例えば
”潜血が尿中に多く、ポリーブがある可能性があるので、病院に行って精密検査を受けてください。”
という医者の診断結果を表示する。
【００６０】
以上によって、利用者が既述した図４のフローチャートによる簡易診断では充分に診断がされていなく不安に思ったときに、診断ボタンを押下すると、自動的にデータテーブル５に蓄積されている全データ（検尿結果（蛋白、潜血、糖）、血圧（最低、最高）、体温、身長、体重など）を即座に契約している診療機関のサーバ１６に送信し、診療機関では医者が契約している当該利用者の全データを表示し、診断を行い、その診断結果を返送し、利用者は結果表示パネル１５にその医者の診断結果を表示し、現在の健康状態を認識したり、更に、病院にいって精密検査を受ける必要があるなどの健康管理に役立てることが可能となる。
【００６１】
図６は、本発明の動作説明フローチャートを示す。
図６において、Ｓ３１は、データを解析する。これは、図１のパソコン１が利用者から測定してデータテーブル５に蓄積したデータについて、基準値テーブル６に登録されている当該利用者の値と比較する。
【００６２】
Ｓ３２は、体重が急激に増えたか判別する。これは、Ｓ３１の比較の結果、体重が前回の体重値（あるいは当該利用者の基準値）よりも急激（所定値以上）に増えたか判別する。ＹＥＳの場合には、Ｓ３３に進む。ＮＯの場合には、ここでは、終了する。
【００６３】
Ｓ３３は、簡易診断結果”甘い物、間食を控えてください”を取り出す。これは、Ｓ３２のＹＥＳで利用者の体重が急激に増えたと判明したので、当該体重が急激に増えたことに対応する簡易診断結果（警告メッセージ）として図示の”甘い物、間食を控えてください。”を取り出す。
【００６４】
Ｓ３４は、Ｓ３３で取り出した簡易診断結果（警告メッセージ）を結果表示パネル１５に送信する。
【００６５】
Ｓ３５は、簡易診断結果を表示する。ここでは、警告メッセージ
”甘い物、間食を控えてください。”
を表示し、利用者に現在の健康状態で注意する簡易診断結果を通知する。
【００６６】
Ｓ３６は、体重が急激に増えたというデータなどを受信した医療機関の医師が診断”内臓に脂肪がたまっている可能性があるので、病院で精密検査を受けてください”を行う。
【００６７】
Ｓ３７は、Ｓ３６の診断結果を送信する。
Ｓ３８は、メールボックスから取り出した利用者の電子メールの添付ファイルから取り出した診断結果、ここでは、
”内臓に脂肪がたまっている可能性があるので、病院で精密検査を受けてください”
を表示し、利用者に知らせる。
【００６８】
以上によって、利用者の体重が急激に増えたりなどしたときに、基準値テーブル６に登録されている当該利用者の値と比較して当該体重が急激に増えたことに対応する簡易診断結果（警告メッセージ）を取り出して表示して利用者に知らせることが可能となると共に、定期的あるいは必要に応じて利用者の全測定データを医療機関のサーバ１６に送信して医師が当該利用者の全測定データを見てその診断結果を返送し、利用者に知らせることが可能となる。
【００６９】
【発明の効果】
以上説明したように、本発明によれば、検尿装置などとパソコンを無線ＬＡＮなどで結び測定データを収集して管理すると共に標準値からの変位が大きいときに簡易診断結果（該当警告メッセージ）を表示したり、定期的あるいは必要に応じてネットワークを介してサーバ（医療機関）にデータを送信して診断を仰いでその診断結果を提示する構成を採用しているため、家庭などで利用者の検尿、血圧、体温、身長・体重などの測定データをもとに標準値テーブル６と比較して簡易診断結果を提示したり、更に、必要に応じて全測定データを医療機関に送信して診断結果の返送を受けて利用者に提示し、利用者の測定データに対応した診断を迅速かつタイムリーに提供して健康管理に役立てることが可能となる。
【図面の簡単な説明】
【図１】本発明のシステム構成図である。
【図２】本発明の動作説明フローチャートである。
【図３】本発明の説明図である。
【図４】本発明の動作説明フローチャート（簡易診断）である。
【図５】本発明の動作説明フローチャート（診断）である。
【図６】本発明の動作説明フローチャートである。
【符号の説明】
１：パソコン
２：データ収集手段
３：簡易解析手段
４：診断依頼手段
５：データテーブル
６：基準値テーブル
１１：検尿装置
１１１：センサ
１１２：パネルボタン
１１３：トイレ
１２：身長・体重測定器
１２１：身長測定器
１２２：体重計
１３：血圧測定器
１３１：血圧測定部
１３２：測定器
１４：検温装置
１５：結果表示パネル
１６：サーバ（医療機関）
１７：診断支援手段
１８：データテーブル
【図１】
2004129980.tif 000004
【図２】
2004129980.tif 000005
【図３】
2004129980.tif 000006
【図４】
2004129980.tif 000007
【図５】
2004129980.tif 000008
【図６】
2004129980.tif 000009